(57)【要約】      （修正有）【課題】見栄えの良い胡蝶蘭の鉢植えを提供する。【解決手段】胡蝶蘭の鉢植えは、複数の胡蝶蘭３が植栽された鉢２と、胡蝶蘭３の花茎を支持する複数の支柱５と、を備え、各胡蝶蘭３は、複数の花３１からなる花群Ｆを有する。各支柱５は、鉢２の中から上方に延びる立上り部と、立上り部から正面側へ湾曲して下方へ向かって延びる湾曲部と、を有し、複数の湾曲部に沿って配列された花群Ｆの集合体により正面視ハート形が表現される。【選択図】図１
0003203565.tif 000002
【実用新案登録請求の範囲】
【請求項１】
複数の胡蝶蘭が植栽された鉢と、
前記複数の胡蝶蘭の花茎を支持する複数の支柱と、を備え、
前記複数の胡蝶蘭の各々は、複数の花からなる花群を有し、
前記複数の支柱の各々は、前記鉢の中から上方に延びる立上り部と、前記立上り部から正面側へ湾曲して下方へ向かって延びる湾曲部と、を有し、前記湾曲部に沿って前記花群が配列され、
前記複数の支柱は少なくとも、正面視中央に位置する第１支柱と、前記第１支柱よりも高さの高い第２支柱及び第３支柱と、前記第２支柱及び前記第３支柱よりも高さの低い第４支柱及び第５支柱と、を含み、
正面視において、前記第１支柱の湾曲部の左右両側に前記第２支柱の湾曲部及び前記第３支柱の湾曲部が位置し、前記第２支柱の湾曲部の左方に前記第４支柱の湾曲部が位置し、前記第３支柱の湾曲部の右方に第５支柱の湾曲部が位置し、前記第４支柱の湾曲部及び前記第５支柱の湾曲部は、それぞれ外方に向けて凸となるように湾曲すると共に、下方中央側に向かって延びることを特徴とする胡蝶蘭の鉢植え。
【請求項２】
前記複数の支柱は更に、第６支柱と、第７支柱と、第８支柱と、を備え、
前記第６支柱の先端部は前記第１支柱の先端部の下方に位置し、前記第６支柱の湾曲部は前記第１支柱の湾曲部よりも背面側に位置し、
正面視において、前記第７支柱の湾曲部及び前記第８支柱の湾曲部は、前記第６支柱の湾曲部の左右両側に位置すると共に、前記第４支柱の湾曲部と前記第５支柱の湾曲部との間に位置し、前記第７支柱と前記第８支柱の先端部は中央に向けて屈曲して延びていることを特徴とする請求項１に記載の胡蝶蘭の鉢植え。
【請求項３】
前記複数の胡蝶蘭が有する複数の花のうち、前記第６支柱により支持される胡蝶蘭が有する最先端側の花が最も下方に位置することを特徴とする請求項２に記載の胡蝶蘭の鉢植え。
【請求項４】
複数の胡蝶蘭が植栽された鉢と、
前記複数の胡蝶蘭の花茎を支持する複数の支柱と、を備え、
前記複数の胡蝶蘭の各々は、複数の花からなる花群を有し、
前記複数の支柱の各々は、前記鉢の中から上方に延びる立上り部と、前記立上り部から正面側へ湾曲して下方へ向かって延びる湾曲部と、を有し、前記湾曲部に沿って前記花群が配列され、正面視において前記複数の支柱の前記湾曲部に沿って配列された前記花群の集合体によりハート形が形成され、
前記複数の支柱は少なくとも、正面視中央に位置する第１支柱と、前記第１支柱よりも高さの高い第２支柱及び第３支柱と、前記第２支柱及び前記第３支柱よりも高さの低い第４支柱及び第５支柱と、を含み、
正面視において、前記第１支柱の湾曲部の左右両側に前記第２支柱の湾曲部及び前記第３支柱の湾曲部が位置し、前記第２支柱の湾曲部の左方に前記第４支柱の湾曲部が位置し、前記第３支柱湾曲部の右方に第５支柱の湾曲部が位置していることを特徴とする胡蝶蘭の鉢植え。
【考案の詳細な説明】
【技術分野】
【０００１】
本考案は、胡蝶蘭の鉢植えに関する。
【背景技術】
【０００２】
従来より、胡蝶蘭（ファレノプシス）の鉢植えにおいては、胡蝶蘭の花茎を下向きＵ字状の支柱に固定し、花茎の先端が下方に垂れ下がった状態とされるのが一般的であり（例えば、特許文献１参照）、複数本立ての場合においては、正面から観た際に、複数の胡蝶蘭の花群が縦方向に平行に配置されるか、全体的に末広がりとなるように花群が下方に向かうに従い外方へ延びる様に仕立てられる。
【０００３】
また、これに代わるものとして、正面から見たときにハート形となるように組み合わされた２本の支柱を用いることにより、胡蝶蘭の花びらがハート形に配列された胡蝶蘭の鉢植えが提案されている（例えば、特許文献２参照）。
【先行技術文献】
【特許文献】
【０００４】
【特許文献１】特開平７−２３６６４号公報
【特許文献２】登録実用新案第３１１２００２号公報
【考案の概要】
【考案が解決しようとする課題】
【０００５】
しかしながら、従来の胡蝶蘭の鉢植えでは、複数本の胡蝶蘭が並べて植えられているだけに過ぎず、意匠面での工夫がなされていなかった。一方、特許文献２に開示の胡蝶蘭鉢植えにおいては、花びらの配列によりハート形が形成されており、意匠面においては工夫がなされているものの、全体にボリューム感がなく、豪華さや華やかさに欠けるという問題があった。
【０００６】
そこで本考案は、より見栄えの良い胡蝶蘭の鉢植えを提供することを目的とする。
【課題を解決するための手段】
【０００７】
本考案の胡蝶蘭の鉢植えは、複数の胡蝶蘭が植栽された鉢と、前記複数の胡蝶蘭の花茎を支持する複数の支柱と、を備え、前記複数の胡蝶蘭の各々は、複数の花からなる花群を有し、前記複数の支柱の各々は、前記鉢の中から上方に延びる立上り部と、前記立上り部から正面側へ湾曲して下方へ向かって延びる湾曲部と、を有し、前記湾曲部に沿って前記花群が配列され、前記複数の支柱は少なくとも、正面視中央に位置する第１支柱と、前記第１支柱よりも高さの高い第２支柱及び第３支柱と、前記第２支柱及び前記第３支柱よりも高さの低い第４支柱及び第５支柱と、を含み、正面視において、前記第１支柱の湾曲部の左右両側に前記第２支柱の湾曲部及び前記第３支柱の湾曲部が位置し、前記第２支柱の湾曲部の左方に前記第４支柱の湾曲部が位置し、前記第３支柱の湾曲部の右方に第５支柱の湾曲部が位置し、前記第４支柱の湾曲部及び前記第５支柱の湾曲部は、それぞれ外方に向けて凸となるように湾曲すると共に、下方中央側に向かって延びることを特徴。
【０００８】
また、本考案の胡蝶蘭の鉢植えは、前記複数の支柱は更に第６支柱と第７支柱と第８支柱とを備え、前記第６支柱の先端部は前記第１支柱の先端部の下方に位置し、前記第６支柱の湾曲部は前記第１支柱の湾曲部よりも背面側に位置し、正面視において、前記第７支柱の湾曲部及び前記第８支柱の湾曲部は、前記第６支柱の湾曲部の左右両側に位置すると共に、前記第４支柱の湾曲部と前記第５支柱の湾曲部との間に位置し、前記第７支柱と前記第８支柱の先端部は中央に向けて屈曲して延びていることを特徴とする。
【０００９】
また、本考案の胡蝶蘭の鉢植えは、前記複数の胡蝶蘭が有する複数の花のうち、前記第６支柱により支持される胡蝶蘭が有する最先端側の花が最も下方に位置することを特徴とする。
【００１０】
また、本考案の胡蝶蘭の鉢植えは、複数の胡蝶蘭が植栽された鉢と、前記複数の胡蝶蘭の花茎を支持する複数の支柱と、を備え、前記複数の胡蝶蘭の各々は、複数の花からなる花群を有し、前記複数の支柱の各々は、前記鉢の中から上方に延びる立上り部と、前記立上り部から正面側へ湾曲して下方へ向かって延びる湾曲部と、を有し、前記湾曲部に沿って前記花群が配列され、正面視において前記複数の支柱の前記湾曲部に沿って配列された前記花群の集合体によりハート形が形成され、前記複数の支柱は少なくとも、正面視中央に位置する第１支柱と、前記第１支柱よりも高さの高い第２支柱及び第３支柱と、前記第２支柱及び前記第３支柱よりも高さの低い第４支柱及び第５支柱と、を含み、正面視において、前記第１支柱の湾曲部の左右両側に前記第２支柱の湾曲部及び前記第３支柱の湾曲部が位置し、前記第２支柱の湾曲部の左方に前記第４支柱の湾曲部が位置し、前記第３支柱湾曲部の右方に第５支柱の湾曲部が位置していることを特徴とする。
【考案の効果】
【００１１】
本考案に係る胡蝶蘭の鉢植えによれば、第１支柱よりも高さの高い第２支柱及び第３支柱と、第２支柱及び第３支柱よりも高さの低い第４支柱及び第５支柱と、を備え、第１支柱の湾曲部の左右両側に第２，第３支柱の湾曲部が位置し、第２支柱の湾曲部の左方に第４支柱の湾曲部が位置し、第３支柱の湾曲部の右方に第５支柱の湾曲部が位置しているので、これらの湾曲部に沿って配列された花群によってハートの２つの山部が表現され、外方に向けて凸となるように湾曲した第４，第５支柱の湾曲部によってハートの左右の膨らみが表現され、また第４，第５支柱の湾曲部は下方中央側へ向かって延びるので、これによりハートの先端部が表現され、このようにして複数の花群全体で１つのハート形が形成される。よって、従来のように胡蝶蘭を単純に複数本立てとした場合と比較して意匠性に優れ、従来品との差別化を図ることができる。また、中実のハート形状を表現できるので、輪郭線のみからなるハート形状を表現するものと比較してボリュームがあり、高級感を演出できる。
【００１２】
また、第６〜第８支柱を更に備え、これらの湾曲部に沿っても花群が配列されるので、よりボリュームのあるハートを表現できる。
【００１３】
また、第６支柱により支持される胡蝶蘭が有する最先端側の花を最も下方に位置させるので、ハート形状の輪郭をより明確にできる。
【００１４】
また、考案の胡蝶蘭の鉢植えによれば、複数の支柱の湾曲部に沿って配列された花群の集合体によりハート形が形成されるので、従来のように胡蝶蘭を単純に複数本立てとした場合と比較して意匠性に優れ、従来品との差別化を図ることができる。また、中実のハート形状を表現できるので、輪郭線のみからなるハート形状を表現するものと比較してボリュームがあり、高級感を演出できる。
【図面の簡単な説明】
【００１５】
【図１】本考案の実施形態に係る胡蝶蘭の鉢植えの正面図。
【図２】図１の胡蝶蘭の鉢植えが備える支柱を示す斜視図。
【図３】図２に示す支柱の平面配置図。
【図４】図２に示す支柱の湾曲部と胡蝶蘭の花群の位置関係を説明する観念図。
【図５】本考案の実施形態の変形例における支柱の湾曲部と胡蝶蘭の花群の位置関係を説明する観念図。
【図６】本考案の実施形態の他の変形例における支柱の湾曲部と胡蝶蘭の花群の位置関係を説明する観念図。
【考案を実施するための形態】
【００１６】
以下、添付図面を参照して、本考案の実施形態に係る胡蝶蘭の鉢植えについて説明する。図１〜図４を参照して、図示の胡蝶蘭の鉢植え１は、鉢２と、鉢２に植栽された複数の胡蝶蘭３と、各胡蝶蘭３の花茎（図示せず）を支持する複数の支柱５と、を備え、各胡蝶蘭３は複数の花３１からなる花群Ｆを有し、複数の花群Ｆの集合体により正面視略ハート形が形成されている。
【００１７】
本実施形態における複数の支柱５は８本の支柱５（第１支柱５１〜第８支柱５８）を含み、これら８本の支柱５は垂直方向に延びる中心線Ｃを中心として正面視略左右対称となるように配置されている。
【００１８】
各支柱５は、その下端部が鉢２内の植え込み材料４に埋設されている。図３に、鉢２内における各支柱５の配置（下端部の埋設箇所）を示す。図３に示す様に、第２支柱５２及び第３支柱５３が最後列に左右に並べて配置され、その前方に左方から順に第４支柱５４，第１支柱５１，第５支柱５５が配置され、その前方に第７支柱５７及び第８支柱５８が左右に並べて配置され、最前列に第６支柱５６が配置されている。また、これら８本の支柱５の高さ（頂点の高さ位置）は、第２及び第３支柱５２，５３、第１支柱５１、第４及び第５支柱５４，５５、第７及び第８支柱５７，５８、第６支柱５６の順に低くなるよう設定されている。
【００１９】
なお、上述したような支柱５の高さの違いを出しやすくするため、予め植え込み材料４に段差を設けておいてもよい。例えば、第２，第３支柱５２，５３に対応する箇所を最も高くし、第６〜第８支柱５６〜５８に対応する箇所を最も低くし、第１及び第４，第５支柱５１，５４，５５に対応する箇所を中間の高さにすることができる。
【００２０】
各支柱５は鉢２の中（植え込み材料４）から上方に延びる立上り部Ａと、先端が下方を向くように立上り部Ａから略Ｕ字状に下方前方（正面側）へ折り曲げられた湾曲部Ｂと、を有し、各胡蝶蘭３の花群Ｆ（複数の花３１）は各支柱５の湾曲部Ｂに沿って配列されている。以下、どの支柱５１〜５８の立上り部Ａ，湾曲部Ｂかを区別するときは、符号Ａ，Ｂに数字１〜８を付けて表記するものとする。
【００２１】
第１支柱５１は、正面視中央に位置し、上方に向けて真っ直ぐに起立する立上り部Ａ１から湾曲部Ｂ１が下方前方に向かって延びている。第２及び第３支柱５２，５３の立上り部Ａ２，Ａ３は左右に僅かに傾斜して上方に立ち上がり、これらの湾曲部Ｂ２，Ｂ３は、第１支柱５１の湾曲部Ｂ１の正面視左右両側に位置し、第１支柱５１の湾曲部Ｂ１よりも前方に大きな膨らみをもって湾曲している。
【００２２】
第４支柱５４の立上り部Ａ４は、第１支柱５１の左方において左方斜め上方に立ち上がり、その湾曲部Ｂ４は、第２支柱５２の湾曲部Ｂ２の左方に位置し、第１支柱５１の湾曲部Ｂ１と略同等の膨らみをもって前方に湾曲すると共に、外方（左方）に向けて凸となるように僅かに湾曲し、その先端部Ｔ４は正面視下方斜め中央に向かって延びている。
【００２３】
第５支柱５５の立上り部Ａ５は、第１支柱５１の右方において右方斜めに立ち上がり、その湾曲部Ｂ５は、第３支柱５３の湾曲部Ｂ３の右方に位置し、第１支柱５１の湾曲部Ｂ１と略同等の膨らみをもって前方に湾曲すると共に、外方（右方）に向けて凸となるように僅かに湾曲し、その先端部Ｔ５は正面視下方斜め中央に向かって延びている。
【００２４】
第６支柱５６は左右方向中央に位置し、第６支柱５６の立上り部Ａ６は、第１支柱５１の立上り部Ａ１の前方において真っ直ぐに起立し、その湾曲部Ｂ６は第１支柱５１の湾曲部Ｂ１よりも後方に位置し、またその先端Ｔ６は第１支柱５１の先端Ｔ１よりも下方に位置している。
【００２５】
第７，第８支柱５７，５８の立上り部Ａ７，Ａ８は、それぞれ第２，第３支柱５２，５３の立上り部Ａ２，Ａ３の前方において起立し、これらの湾曲部Ｂ７，Ｂ８はそれぞれ第２，第３支柱５２，５３の湾曲部Ｂ２，Ｂ３よりも小さな膨らみをもって前方に湾曲し、これら湾曲部Ｂ２，Ｂ３の後方に位置している。また、正面視において、第７，第８支柱５７，５８の湾曲部Ｂ７，Ｂ８は、第６支柱５６の湾曲部Ｂ６の左右両側に位置すると共に、第４支柱５４の湾曲部Ｂ４と第５支柱５５の湾曲部Ｂ５との間に位置し、その先端部Ｔ７，Ｔ８は中央に向けて屈曲して延びている。
【００２６】
そして、各胡蝶蘭３の花群Ｆを各支柱５の湾曲部Ｂに沿って配列させ、全ての花３１のうち、第６支柱５６により支持される胡蝶蘭３の最先端側の花３１ｍを最も低い位置に配置させることで、図１及び図４に示す様に、複数の花群Ｆにより正面視ハート形が形成される。換言すると、花群Ｆの集合体はハート形状に沿った正面視輪郭線を有している。
【００２７】
即ち、第２，第３支柱５２，５３は、第１，第４，第５支柱５１，５２，５３よりも低く構成されているので、これら第１〜第５支柱５１〜５５に沿って配列された花群ＦによりハートＨの２つの山部が表現される。また、第４，第５支柱５４，５５の湾曲部Ｂ４，Ｂ５は左右外方に向けて凸となるように湾曲しているので、これら湾曲部Ｂ４，Ｂ５に沿って配列された花群ＦによりハートＨの左右の膨らみが表現される。
【００２８】
更に、湾曲部Ｂ４，Ｂ５，Ｂ７，Ｂ８の先端部Ｔ４，Ｔ５，Ｔ７，Ｔ８は中央に向かって延びると共に、第６支柱５６により支持される胡蝶蘭３の最先端側の花３１ｍが最も低い位置に配置されているので、これら第３支柱５４〜第８支柱５８の湾曲部Ｂ４〜Ｂ８に沿って配列された花群ＦによりハートＨの先端部位（下方に向かうに従い幅が漸減する部位）が表現される。
【００２９】
また、本実施形態における胡蝶蘭の鉢植え１においては、輪郭線のみからなるハート形状ではなく中実のハート形状が表現され、また複数の花群Ｆが前後に重なるようにして配置されるのでボリュームと厚みがあり、華やかさや高級感を演出できる。
【００３０】
以上、本考案の実施形態に係る胡蝶蘭の鉢植え１について添付の図面を参照して説明したが、本考案はかかる実施形態に限定されず、本考案の範囲を逸脱することなく種々の変形乃至修正が可能である。
【００３１】
例えば、上記実施形態の胡蝶蘭の鉢植え１は、８本の支柱５を用いた８本立ての胡蝶蘭３を用いて構成されたが、胡蝶蘭３の花群Ｆによりハート形が形成できれば胡蝶蘭３の本数に限定はなく、７本以下又は９本以上の胡蝶蘭３（及び７本以下又は９本以上の支柱５）を用いて構成することもできる。
【００３２】
例えば、図５に示す変形例では、上述した第６〜第８支柱５６〜５８が省略され、第１〜第５支柱５１〜５５により５本の胡蝶蘭３が支持され、これらの湾曲部Ｂ１〜Ｂ５に沿って花３１が配列されている。この変形例においても、上述した第１実施形態と同様に、花３１によりハート形を表現できる。なお、本変形例においては、第１支柱５１により支持される胡蝶蘭３の最先端側の花３１を最も低い位置に配置させるのが好ましい。
【００３３】
また、図６に示す他の変形例では、上述した第１〜第８支柱５１〜５８に加え、第９支柱５０１，第１０支柱５０２，第１１支柱５０３，及び第１２支柱５０４が用いられ、これら合計１２本の支柱５の各々に１２本の胡蝶蘭３が支持されている。正面視において、第９支柱５０１は第２支柱５２と第４支柱５４の間に配置され、第１０支柱５０２は第３支柱５３と第５支柱５５との間に配置され、第１１，第１２支柱５０３，５０４は第７支柱５７と第８支柱５８との間に配置されている。
【００３４】
この変形例においても、上述した第１実施形態と同様に、胡蝶蘭３の複数の花３１によりハート形を表現できる。また、本変形例においてはより多くの本数の胡蝶蘭３を用いることにより、よりボリューム感を出すことができる。
【符号の説明】
【００３５】
１  胡蝶蘭の鉢植え
２  鉢
３  胡蝶蘭
３１  花
５  支柱
Ａ  立上り部
Ｂ  湾曲部
Ｆ  花群
【図１】
0003203565.tif 000003
【図２】
0003203565.tif 000004
【図３】
0003203565.tif 000005
【図４】
0003203565.tif 000006
【図５】
0003203565.tif 000007
【図６】
0003203565.tif 000008